(57)【要約】【課題】  複雑な信号処理を用いないで、イヤホンからマイクロホンに帰還する音に起因するハウリングが発生し難い補聴器を提供する。【解決手段】  マイクロホン４と、このマイクロホン４の出力信号を補聴処理する補聴処理部５と、この補聴処理部５の出力信号に基づいて音を出力する第１イヤホン８と、補聴処理部５の出力信号を遅延させる遅延部６と、この遅延部６の出力信号に基づいて音を出力する第２イヤホン７を備え、マイクロホン４の位置が、第２イヤホン７から出力される音が第１イヤホン８から出力される音を打ち消す領域Ａ内である。第１イヤホン８は外耳道１０内に鼓膜側に向けて配置され、第２イヤホン７は外耳道１０内に外界側に向けて配置される。【選択図】        図４
2014165688.tif 000002
【特許請求の範囲】
【請求項１】
マイクロホンと、このマイクロホンの出力信号を補聴処理する補聴処理部と、この補聴処理部の出力信号に基づいて音を出力する第１イヤホンと、前記補聴処理部の出力信号を遅延させる遅延部と、この遅延部の出力信号に基づいて音を出力する第２イヤホンを備え、前記マイクロホンの位置が、前記第２イヤホンから出力される音が前記第１イヤホンから出力される音を打ち消す領域内であることを特徴とする補聴器。
【請求項２】
請求項１に記載の補聴器において、前記遅延部による遅延量を調整することにより、前記領域の位置を変更することを特徴とする補聴器。
【請求項３】
請求項１又は２に記載の補聴器において、外耳道内に、前記第１イヤホンを鼓膜側に向けて配置すると共に、前記第２イヤホンを外界側に向けて配置することを特徴とする補聴器。
【発明の詳細な説明】
【技術分野】
【０００１】
本発明は、イヤホンからマイクロホンに帰還する音に起因するハウリングを抑制させる補聴器に関する。
【背景技術】
【０００２】
従来、補聴器おいて、様々なハウリング抑制技術が提案されている。特許文献１には、出力信号を変調させることで、入力信号中の帰還信号を検出し、検出された帰還信号に関係して入力信号を処理することにより、ハウリングを抑制する補聴器が記載されている。
【０００３】
また、特許文献２には、レシーバとマイクロホンを備える聴覚装置において、レシーバとマイクロホンの間に存在するフィードバック経路を適応フィルタで推定し、フィードバック信号の少なくとも一部を軽減するように構成された適応型フィードバックキャンセラを備えた補聴器が記載されている。
【先行技術文献】
【特許文献】
【０００４】
【特許文献１】特開２００６−１１５５０９号公報
【特許文献２】特開２０１１−２５４４６８号公報
【発明の概要】
【発明が解決しようとする課題】
【０００５】
特許文献１及び特許文献２に記載のいずれの技術においても、外部マイクロホンで採取した音に含まれるイヤホンから出力した成分を抽出し、それを除去することで、ハウリングを抑制させているので、複雑な信号処理を必要としている。
【０００６】
本発明は、従来の技術が有するこのような問題点に鑑みてなされたものであり、その目的とするところは、複雑な信号処理を用いないで、イヤホンからマイクロホンに帰還する音に起因するハウリングが発生し難い補聴器を提供しようとするものである。
【課題を解決するための手段】
【０００７】
上記課題を解決すべく請求項１に係る発明は、マイクロホンと、このマイクロホンの出力信号を補聴処理する補聴処理部と、この補聴処理部の出力信号に基づいて音を出力する第１イヤホンと、前記補聴処理部の出力信号を遅延させる遅延部と、この遅延部の出力信号に基づいて音を出力する第２イヤホンを備え、前記マイクロホンの位置が、前記第２イヤホンから出力される音により前記第１イヤホンから出力される音が低減された領域になるものである。
【０００８】
前記遅延部による遅延量を調整することにより、前記第１イヤホンから出力される音が低減する領域を変更することができる。
【０００９】
また、前記第１イヤホンと前記第２イヤホンを外耳道内に配置することができる。
【発明の効果】
【００１０】
本発明によれば、マイクロホンの位置が、第２イヤホンから出力される音により第１イヤホンから出力される音が低減された位置になるので、複雑な信号処理を用いなくてもハウリングを抑制することができる。
【００１１】
また、第２イヤホンの音の遅延量を調整すれば、第１イヤホンから出力される音が低減する領域を変更することができるので、使用者の耳の形状に合わせたハウリングの抑制が可能となる。
【００１２】
また、第１イヤホンと第２イヤホンを外耳道内に配置すれば、マイクロホンの位置が、第２イヤホンから出力された音によりベントから漏れ出た第１イヤホンから出力された音が低減された位置になるので、複雑な信号処理を用いなくてもハウリングを抑制することができる。
【図面の簡単な説明】
【００１３】
【図１】本発明を適用した耳かけ型補聴器の概要構成図
【図２】ポーラパターンの説明図
【図３】ポーラパターンの作用説明図
【図４】本発明を適用した耳かけ型補聴器の作用説明図
【図５】他のポーラパターンの説明図で、（ａ）は遅延量を変えた場合、（ｂ）は遅延量を更に変えた場合
【図６】他のポーラパターンの作用説明図で、（ａ）は遅延量を変えた場合、（ｂ）は遅延量を更に変えた場合
【発明を実施するための形態】
【００１４】
以下に本発明の実施の形態を添付図面に基づいて説明する。本発明を適用した耳かけ型補聴器１は、図１に示すように、補聴器本体２、耳せん３、補聴器本体２と耳せん３を連結するチューブ部材（不図示）などからなる。
【００１５】
補聴器本体２には、音を収集するマイクロホン４、ＤＳＰ（Digital Signal Processor）からなり、マイクロホン４の出力信号に対して増幅等の信号処理をする補聴処理部５、補聴処理部５の出力信号を遅延させる遅延部６などの部品が収納されている。
【００１６】
ＤＳＰには、各種設定を記憶しておく記憶部（不図示）がある。記憶部に記憶された各種設定は、補聴器１にパソコン等の調整装置を接続することで、変更することができる。記憶部に記憶されている遅延に関する設定を変更することにより、遅延部６による補聴処理部５の出力信号の遅延量を調整することができる。
【００１７】
耳せん３には、補聴処理部５の出力信号に基づいて音を出力する第１イヤホン８、遅延部６の出力信号に基づいて音を出力する第２イヤホン７が収納されている。耳かけ型補聴器１の装用時には、耳せん３は外耳道１０内に装着され、第１イヤホン８からの出力音は、外耳道１０へ導かれる。耳せん３は、既製品であっても、装用者の外耳道形状に合わせたイヤモールドであっても良い。
【００１８】
マイクロホン４は補聴処理部５の入力部と配線１１ａにより電気的に接続され、第１イヤホン８は補聴処理部５の出力部と配線１１ｂにより電気的に接続され、第２イヤホン７は遅延部６を介して補聴処理部５の出力部と配線１１ｃにより電気的に接続されている。
【００１９】
ところで、外耳道１０と耳せん３の隙間から漏れ出た第１イヤホン８から出力される音が、マイクロホン４に入力され、ハウリングの原因となる場合がある。また、耳せん３にベント９が形成されている場合には、ベント９の外界側出口９ａから漏れ出た音がハウリングの原因となる場合がある。本発明の実施の形態では、後者の場合について説明する。
【００２０】
図２に、ベント９の外界側出口９ａより漏れ出た第１イヤホン８から出力される音と、遅延部６によって遅延量が所定の値に調整された第２イヤホン７の音口７ａから出力される音の相互作用の様子を示す。第２イヤホン７の音口７ａから出力される音の音圧は、ベント９の外界側出口９ａより漏れ出た第１イヤホン８から出力される音の音圧と同程度であれば良い。従って、第２イヤホン７は第１イヤホン８と比べて小型のもので十分である。
【００２１】
ポーラパターン１２は、ベント９の外界側出口９ａを中心１３とした点線で表す円周１４上に配置したマイクロホン（不図示）により観測した音圧の大きさを表す。中心１３からポーラパターン１２の曲線１２ａまでの距離Ｄが、点線で表す円周１４上に配置したマイクロホンにより観測した音圧の大きさを表す。
【００２２】
例えば、このようなポーラパターン１２が形成されると、図３に示すように、ポーラパターン１２の曲線１２ａで囲まれた領域の外側で、曲線１２ａで遮られることなく中心１３が直接臨める領域Ａでは、第２イヤホン７の音口７ａから出力された音がベント９の外界側出口９ａより漏れ出た第１イヤホン８から出力された音を打ち消すので、第１イヤホン８が出力する音圧はほとんど観測されない。
【００２３】
従って、図４に示すように、ポーラパターン１２の曲線１２ａで囲まれた領域の外側で、ポーラパターン１２の曲線１２ａで遮られることなく中心１３が直接臨める領域Ａにマイクロホン４を配置すれば、ベント９の外界側出口９ａより漏れ出た第１イヤホン８から出力された音がマイクロホン４に帰還するのを低減することができる。
【００２４】
また、ポーラパターンは、遅延部６の遅延量を調整することにより変更することができ、ポーラパターン１２の他に、図５（ａ）に示すポーラパターン２０、図５（ｂ）に示すポーラパターン２１などを形成することができる。
【００２５】
これらのポーラパターン２０，２１も、ベント９の外界側出口９ａを中心１３とした点線で表す円周１４上に配置したマイクロホン（不図示）で観測した音圧の大きさを表す。中心１３からポーラパターン２０，２１の曲線２０ａ，２１ａまでの距離Ｄが、点線で表す円周１４上に配置したマイクロホンにより観測された音圧の大きさを表す。
【００２６】
これらのポーラパターン２０，２１においても、図６に示すように、ポーラパターン２０，２１の曲線２０ａ，２１ａで囲まれた領域の外側で、曲線２０ａ，２１ａで遮られることなくベント９の外界側出口９ａの位置である中心１３が直接臨める領域Ｂ，Ｃでは、第２イヤホン７から出力された音がベント９の外界側出口９ａより漏れ出た第１イヤホン８から出力された音を打ち消すので、第１イヤホン８が出力する音圧はほとんど観測されない。
【００２７】
ここに挙げたポーラパターン１２，２０，２１は一例にすぎず、遅延部６の遅延量を調整することで、所望な位置に音圧が低減されたＡ，Ｂ，Ｃのような領域を設定することができる。
【００２８】
従って、耳かけ型補聴器１のマイクロホン４の位置に、第２イヤホン７から出力された音がベント９の外界側出口９ａより漏れ出た第１イヤホン８から出力された音を打ち消す領域Ａ，Ｂ，Ｃが重なるように、遅延部６の遅延量を調整して所望のポーラパターン１２，２０，２１を形成すればよい。
【００２９】
すなわち、遅延部６の遅延量を調整することで、ポーラパターンを変更することができるので、使用者の耳の形状に合わせてハウリングを抑制する耳かけ型補聴器１を構成することが容易にできる。
【産業上の利用可能性】
【００３０】
本発明によれば、第２イヤホンから出力される音が第１イヤホンから出力される音を打ち消す領域にマイクロホンを配置することにより、複雑な信号処理を用いなくてもハウリングを抑制することができる補聴器を提供することができる。
【符号の説明】
【００３１】
１…耳かけ型補聴器、２…補聴器本体、３…耳せん、４…マイクロホン、５…補聴処理部、６…遅延部、７…第２イヤホン、７ａ…音口、８…第１イヤホン、９…ベント、９ａ…外界側出口、１０…外耳道、１１ａ，１１ｂ，１１ｃ…配線、１２，２０，２１…ポーラパターン、１２ａ，２０ａ，２１ａ…曲線、１３…中心、１４…円周、Ａ，Ｂ，Ｃ…領域。
【図１】
2014165688.tif 000003
【図２】
2014165688.tif 000004
【図３】
2014165688.tif 000005
【図４】
2014165688.tif 000006
【図５】
2014165688.tif 000007
【図６】
2014165688.tif 000008